(57)【要約】【課題】大容量化が可能な超解像光情報記録媒体の信頼性を高める。【解決手段】本発明に係る光情報記録媒体１１は、光学系解像限界より、最小マーク長と最小スペース長との平均長さＴｍ［ｎｍ］が短くなるように形成されたプリピット群によってコンテンツが記録され、コンテンツを再生するための再生速度として、２×（４．９２×Ｔｍ／１４９）［ｍ／ｓ］以上、（１００００／６０）×２×π×（２４／１０００）［ｍ／ｓ］未満の範囲の再生速度を指定する再生速度情報が記録されている。【選択図】図６
2013122806.tif 000002
【特許請求の範囲】
【請求項１】
対物レンズの開口数が０．８５であり再生光の波長が４０５［ｎｍ］である再生装置が有する光学系解像限界より、最小マーク長と最小スペース長との平均長さＴｍ［ｎｍ］が短くなるように形成されたプリピット群によってコンテンツが記録されている再生専用の光情報記録媒体であって、
上記コンテンツを再生するための再生速度として、２×（４．９２×Ｔｍ／１４９）［ｍ／ｓ］以上、（１００００／６０）×２×π×（２４／１０００）［ｍ／ｓ］未満の範囲の再生速度を指定する再生速度情報が記録されていることを特徴とする光情報記録媒体。
【請求項２】
上記光情報記録媒体は円盤形状であり、
上記コンテンツが記録される第１領域と、
上記再生速度情報が記録される第２領域とを有し、
上記第２領域は、上記第１領域より内周側に配置されていることを特徴とする請求項１に記載の光情報記録媒体。
【請求項３】
上記第１領域には、上記再生装置が有する光学系解像限界より、平均長さＴｍが短くなるように形成されたプリピット群によってコンテンツが記録されており、
上記第２領域には、上記再生装置が有する光学系解像限界より、最小マーク長と最小スペース長との平均長さが長くなるように形成されたプリピット群によって上記再生速度情報が記録されていることを特徴とする請求項２に記載の光情報記録媒体。
【請求項４】
上記再生速度情報が示す再生速度に対応した再生光出力を指定する再生光出力情報が記録されていることを特徴とする請求項１から３のいずれか一項に記載の光情報記録媒体。
【請求項５】
上記再生装置が有する光学系解像限界より、走査方向における長さが短いプリピットを含むプリピット群により、上記コンテンツが記録されていることを特徴とする請求項１から４のいずれか一項に記載の光情報記録媒体。
【請求項６】
対物レンズの開口数が０．８５であり再生光の波長が４０５［ｎｍ］である再生装置であって、
上記再生装置が有する光学系解像限界より、最小マーク長と最小スペース長との平均長さＴｍ［ｎｍ］が短くなるように形成されたプリピット群によってコンテンツが記録された再生専用の光情報記録媒体を再生する場合、上記コンテンツを、２×（４．９２×Ｔｍ／１４９）［ｍ／ｓ］以上、（１００００／６０）×２×π×（２４／１０００）［ｍ／ｓ］未満の再生速度で再生する再生部を備えることを特徴とする再生装置。
【請求項７】
（４．９２×Ｔｍ／１４９）［ｍ／ｓ］を第１再生速度とし、上記第１再生速度に対応する再生光出力を第１再生光出力とすると、上記コンテンツの再生時において、上記第１再生速度に対する再生速度の増加比より、上記第１再生光出力に対する再生光出力の増加比が小さくなるように、上記再生光出力を制御する出力制御部を備えることを特徴とする請求項６に記載の再生装置。
【請求項８】
対物レンズの開口数が０．８５であり再生光の波長が４０５［ｎｍ］である再生装置が有する光学系解像限界より、最小マーク長と最小スペース長との平均長さＴｍ［ｎｍ］が短くなるように形成されたプリピット群によってコンテンツが記録された再生専用の光情報記録媒体の再生方法であって、
上記光情報記録媒体に、開口数０．８５の対物レンズを介して波長４０５［ｎｍ］の再生光を照射し、２×（４．９２×Ｔｍ／１４９）［ｍ／ｓ］以上、（１００００／６０）×２×π×（２４／１０００）［ｍ／ｓ］未満の再生速度で上記コンテンツを再生することを特徴とする再生方法。
【発明の詳細な説明】
【技術分野】
【０００１】
本発明は、情報を光学的に再生する再生専用の光情報記録媒体、光情報記録媒体再生方法および光情報記録媒体再生装置に関する。
【背景技術】
【０００２】
近年、光情報記録媒体においては、画像等の膨大な情報の処理のために、ますます情報記録容量を増加させることが求められている。その解決法として、再生時における情報処理向上技術の一つである超解像技術を用いる方法がある。
【０００３】
超解像技術とは、再生装置が有する光学系解像限界（レーザ波長および光学系の開口数によって決まる限界）より短いマーク長の信号を再生する技術である。これによって、より小さなマーク長を使用した記録が可能となるので、実質的な記録密度が増加する。これは、高密度化する際に問題となるのが再生技術であり、記録技術ではないことに起因する。
【０００４】
これらの技術について、まず、超解像技術より説明する。
【０００５】
従来、再生装置の有する光学系解像限界より短いマーク長の信号を再生するための多くの光情報記録媒体（以降、超解像光情報記録媒体または超解像媒体と呼ぶ）が提案されてきた。
【０００６】
このような技術として、基板の凹凸により書き換え不可な情報が記録されている再生専用媒体に適応できる技術として、凹および／または凸によって情報が記録されている基板上に、薄い金属膜等からなる機能層と呼ばれる層を設ける技術がある（特許文献１参照）。
【０００７】
現在のところ、特許文献１に関する上記超解像媒体の原理の大部分は解明されていないが、上記機能層の温度変化によって、光学系解像限界より短いマーク長の信号が再生可能であるというものである。
【０００８】
また、再生専用媒体も適応可能な他の技術としては、温度によって光学特性（透過率）が変化するサーモクロミック色素層をマスク層として、反射膜の再生光入射面上に設ける技術も知られている（特許文献２参照）。
【０００９】
なお、マスク層とは、後述するレーザースポットを擬似的に限縮すること等により超解像現象を引き起こす層のことである。
【００１０】
これらの光情報記録媒体では、その再生面に照射された再生レーザによって生じるレーザースポットには光強度分布があり、そのために温度分布が生じている事を利用している。
【００１１】
より具体的には、反射層より再生光入射面に近いマスク層上の再生レーザースポット内に、温度または光強度分布が生じ、それにより前記レーザースポット内に光学特性の分布が生じる。
【００１２】
例えば、温度が高くなる場合に透過率が高くなる材料をマスク層に用いている場合、温度が高い部分の透過率のみが高くなるので、反射層面上に生じるレーザースポットが擬似的に縮小される。これにより、結果的に光学系解像限界より短いマーク長の信号を再生することができる。
【００１３】
しかしながら、超解像再生技術においては、レーザ光をマスクすることによりレーザースポットを擬似的に縮小するため、再生光の利用効率が下がる（反射層による反射光は当然少なくなる）。このため、レーザースポットの縮小に限界が生じることになり、記録密度の向上は線密度で２倍程度が限界であった。
【００１４】
従来は、このように、超解像技術を用いる光情報記録媒体の大容量化手法が、提案されてきた。
【先行技術文献】
【特許文献】
【００１５】
【特許文献１】特開２００１−２５０２７４号公報（２００１年９月１４日公開）
【特許文献２】特開２００１−０３５０１２号公報（２００１年２月９日公開）
【発明の概要】
【発明が解決しようとする課題】
【００１６】
しかしながら、特許文献１、２のような超解像技術は、いずれも再生光を照射することで生じる熱を利用しているので、光学系解像限界より長いマークを再生する場合に比較して総じて高い強度の再生光を照射する必要となる。
【００１７】
さらに、特許文献１、２にあるように、光情報記録媒体に用いられる材料自体は耐熱性が低いものが多く、また各層の膜厚が小さいので、光情報記録媒体の耐熱性は低い。それゆえ、再生光の強度を大きくすると光情報記録媒体は劣化しやすくなる。そのため、超解像光情報記録媒体の再生耐久性に問題があった。
【００１８】
上記問題の解消のためには、超解像媒体において複数の層を組み合わせて放熱性と超解像特性とのバランスを図ることも考えられる。しかしながら、実用化は困難であり、特に再生専用超解像媒体においては、単に銀合金等の単層反射膜を用いる超解像再生を行わない通常の再生専用光情報記録媒体とのコスト差が大きくなるため、現在のところ、再生専用の超解像媒体が広く普及することはなかった。
【００１９】
本発明は、上記課題に鑑みてなされたものであって、信頼性が高い大容量化が可能な再生専用超解像光情報記録媒体を提供すること、また、再生専用超解像光情報記録媒体を再生する場合に信頼性が高まる再生方法および再生装置を提供することを目的としている。
【課題を解決するための手段】
【００２０】
本発明に係る光情報記録媒体は、対物レンズの開口数が０．８５であり再生光の波長が４０５［ｎｍ］である再生装置が有する光学系解像限界より、最小マーク長と最小スペース長との平均長さＴｍ［ｎｍ］が短くなるように形成されたプリピット群によってコンテンツが記録されている再生専用の光情報記録媒体であって、上記コンテンツを再生するための再生速度として、２×（４．９２×Ｔｍ／１４９）［ｍ／ｓ］以上、（１００００／６０）×２×π×（２４／１０００）［ｍ／ｓ］未満の範囲の再生速度を指定する再生速度情報が記録されていることを特徴としている。
【００２１】
ここで、対物レンズの開口数０．８５、および再生光の波長４０５ｎｍに対応した通常のＢＤ（Blu-ray disc：登録商標）−ＲＯＭにおいて、通常の再生速度（１倍速の再生速度）は４．９２［ｍ／ｓ］であり、最小マーク長と最小スペース長との平均長さは１４９［ｎｍ］である。通常のＢＤの記録領域の最内周の半径は２４［ｍｍ］である。これに対して、１倍速の再生速度に対応する１倍速の再生クロックを用いて、上記光学系解像限界より上記平均長さＴｍが短いマークおよびスペースを再生する場合の再生速度は、（４．９２×Ｔｍ／１４９）［ｍ／ｓ］になる。
【００２２】
上記構成によれば、再生速度情報は、再生速度として２×（４．９２×Ｔｍ／１４９）［ｍ／ｓ］以上、（１００００／６０）×２×π×（２４／１０００）［ｍ／ｓ］未満の範囲の再生速度を指定する。上記範囲の再生速度は、対物レンズの開口数が０．８５であり再生光の波長が４０５［ｎｍ］である再生装置に対応する代表的な光情報記録媒体であるＢＤ−ＲＯＭ（記録容量２５ＧＢ）の１倍速クロックを用いる場合の再生速度（４．９２×Ｔｍ／１４９）［ｍ／ｓ］より大きい。そのため、超解像再生に必要な再生光出力の増加は、再生速度の増加に比べて小さくて済む。それゆえ、１倍速クロックを用いる場合の再生速度でコンテンツを再生する場合よりも、光情報記録媒体の単位面積および単位時間当たりの再生光の受光量を減少させることができる。また、最内周（半径２４［ｍｍ］）の位置の情報を再生する場合であっても、光情報記録媒体の回転速度が１００００ｒｐｍ以上になることがない。それゆえ、遠心力による光情報記録媒体の破壊を防止することができる。よって、再生による光情報記録媒体の劣化を抑制し、光情報記録媒体の信頼性を高めることができる。
【００２３】
また、上記光情報記録媒体は、円盤形状であり、上記コンテンツが記録される第１領域と、上記再生速度情報が記録される第２領域とを有し、上記第２領域は、上記第１領域より内周側に配置されている構成であってもよい。
【００２４】
また、上記第１領域には、上記再生装置が有する光学系解像限界より、平均長さＴｍが短くなるように形成されたプリピット群によってコンテンツが記録されており、上記第２領域には、上記再生装置が有する光学系解像限界より、最小マーク長と最小スペース長との平均長さが長くなるように形成されたプリピット群によって上記再生速度情報が記録されている構成であってもよい。
【００２５】
上記光情報記録媒体は、上記再生速度情報が示す再生速度に対応した再生光出力を指定する再生光出力情報が記録されている構成であってもよい。
【００２６】
上記光情報記録媒体は、上記再生装置が有する光学系解像限界より、走査方向における長さが短いプリピットを含むプリピット群により、上記コンテンツが記録されている構成であってもよい。
【００２７】
本発明に係る再生装置は、対物レンズの開口数が０．８５であり再生光の波長が４０５ｎｍである再生装置であって、上記再生装置が有する光学系解像限界より、最小マーク長と最小スペース長との平均長さＴｍ［ｎｍ］が短くなるように形成されたプリピット群によってコンテンツが記録された再生専用の光情報記録媒体を再生する場合、上記コンテンツを、２×（４．９２×Ｔｍ／１４９）［ｍ／ｓ］以上、（１００００／６０）×２×π×（２４／１０００）［ｍ／ｓ］未満の再生速度で再生する再生部を備えることを特徴としている。
【００２８】
上記構成によれば、２×（４．９２×Ｔｍ／１４９）［ｍ／ｓ］以上、（１００００／６０）×２×π×（２４／１０００）［ｍ／ｓ］未満の範囲の再生速度でコンテンツを再生する。上記範囲の再生速度は、対物レンズの開口数が０．８５であり再生光の波長が４０５［ｎｍ］である再生装置に対応する代表的な光情報記録媒体であるＢＤ−ＲＯＭ（記録容量２５ＧＢ）の１倍速クロックを用いる場合の再生速度（４．９２×Ｔｍ／１４９）［ｍ／ｓ］より大きい。そのため、超解像再生に必要な再生光出力の増加は、再生速度の増加に比べて小さくて済む。それゆえ、１倍速クロックを用いる場合の再生速度でコンテンツを再生する場合よりも、光情報記録媒体の単位面積および単位時間当たりの再生光の受光量を減少させることができる。また、最内周（半径２４［ｍｍ］）の位置の情報を再生する場合であっても、光情報記録媒体の回転速度が１００００ｒｐｍ以上になることがない。それゆえ、遠心力による光情報記録媒体の破壊を防止することができる。よって、再生による光情報記録媒体の劣化を抑制し、信頼性の高い再生を行うことができる。
【００２９】
また、（４．９２×Ｔｍ／１４９）［ｍ／ｓ］を第１再生速度とし、上記第１再生速度に対応する再生光出力を第１再生光出力とすると、上記再生装置は、上記コンテンツの再生時において、上記第１再生速度に対する再生速度の増加比より、上記第１再生光出力に対する再生光出力の増加比が小さくなるように、上記再生光出力を制御する出力制御部を備える構成であってもよい。
【００３０】
本発明に係る再生方法は、対物レンズの開口数が０．８５であり再生光の波長が４０５［ｎｍ］である再生装置が有する光学系解像限界より、最小マーク長と最小スペース長との平均長さＴｍ［ｎｍ］が短くなるように形成されたプリピット群によってコンテンツが記録された再生専用の光情報記録媒体の再生方法であって、上記光情報記録媒体に、開口数０．８５の対物レンズを介して波長４０５ｎｍの再生光を照射し、２×（４．９２×Ｔｍ／１４９）［ｍ／ｓ］以上、（１００００／６０）×２×π×（２４／１０００）［ｍ／ｓ］未満の再生速度で上記コンテンツを再生することを特徴としている。
【００３１】
上記構成によれば、２×（４．９２×Ｔｍ／１４９）［ｍ／ｓ］以上、（１００００／６０）×２×π×（２４／１０００）［ｍ／ｓ］未満の範囲の再生速度でコンテンツを再生する。上記範囲の再生速度は、対物レンズの開口数が０．８５であり再生光の波長が４０５［ｎｍ］である再生装置に対応する代表的な光情報記録媒体であるＢＤ−ＲＯＭ（記録容量２５ＧＢ）の１倍速クロックを用いる場合の再生速度（４．９２×Ｔｍ／１４９）［ｍ／ｓ］より大きい。そのため、超解像再生に必要な再生光出力の増加は、再生速度の増加に比べて小さくて済む。それゆえ、１倍速クロックを用いる場合の再生速度でコンテンツを再生する場合よりも、光情報記録媒体の単位面積および単位時間当たりの再生光の受光量を減少させることができる。また、最内周（半径２４［ｍｍ］）の位置の情報を再生する場合であっても、光情報記録媒体の回転速度が１００００ｒｐｍ以上になることがない。それゆえ、遠心力による光情報記録媒体の破壊を防止することができる。よって、再生による光情報記録媒体の劣化を抑制し、信頼性の高い再生を行うことができる。
【発明の効果】
【００３２】
以上のように、本発明によれば、２×（４．９２×Ｔｍ／１４９）［ｍ／ｓ］以上、（１００００／６０）×２×π×（２４／１０００）［ｍ／ｓ］未満の範囲の再生速度でコンテンツが再生される。そのため、超解像再生に必要な再生光出力の増加は、再生速度の増加に比べて小さくて済む。それゆえ、１倍速クロックを用いる場合の再生速度でコンテンツを再生する場合よりも、光情報記録媒体の単位面積および単位時間当たりの再生光の受光量を減少させることができる。また、最内周（半径２４［ｍｍ］）の位置の情報を再生する場合であっても、光情報記録媒体の回転速度が１００００ｒｐｍ以上になることがない。それゆえ、遠心力による光情報記録媒体の破壊を防止することができる。よって、再生による光情報記録媒体の劣化を抑制し、信頼性の高い再生を行うことができる。
【図面の簡単な説明】
【００３３】
【図１】実証試験に用いた光情報記録媒体の断面図である。
【図２】上記光情報記録媒体の基板上のプリピットを示す平面図である。
【図３】上記光情報記録媒体における信号特性を表すｉ−ＭＬＳＥの再生光出力依存性の測定結果を示すグラフである。
【図４】上記光情報記録媒体における信号特性を表すｉ−ＭＬＳＥの再生回数依存性の測定結果を示すグラフである。
【図５】本発明の一実施形態の光情報記録媒体の構成を示す断面図である。
【図６】上記光情報記録媒体の構成を示す概略図である。
【図７】上記光情報記録媒体のディスク情報領域およびデータ領域のプリピットを示す平面図である。
【図８】別の光情報記録媒体の基板に設けられているプリピットの構成を示す斜視図である。
【図９】本発明の別の実施形態の再生装置の概略構成を示すブロック図である。
【図１０】上記再生装置の再生処理のフローを示す図である。
【発明を実施するための形態】
【００３４】
（再生速度と再生耐久性）
本願発明者は、検討の結果、再生専用の超解像光情報記録媒体（超解像媒体）において、再生速度を増大させて再生することにより、超解像特性を維持したままで、再生耐久性を向上することができるという知見を見出した。最初に、再生耐久性を向上することができる理由について以下に説明する。
【００３５】
前述したように、超解像媒体の超解像再生時には、再生光照射により熱を発生させる必要があるため、超解像媒体上に照射される再生光の強度（再生光出力）を、超解像再生ではない通常の光情報記録媒体の再生を行う場合に比較して増大させる必要がある。
【００３６】
しかしながら、同時にこの再生光出力の増大が、超解像媒体の再生耐久性を、低下させている。
【００３７】
そのため、超解像再生を行うことと再生耐久性との両立は困難であったが、本願発明者は、検討の結果、再生速度を高めることにより、超解像再生を行うことと再生耐久性とを両立できることを見出した。
【００３８】
超解像媒体の再生において再生速度を増加させた場合、超解像媒体の所定の領域に再生光が照射される時間は減少するため、該超解像媒体へのダメージは減少する。一方で、再生光を照射することによって上記領域に発生する熱も減少するため、照射される再生光強度をより増大させる必要がある。
【００３９】
しかしながら、本願発明者は、再生速度の増加に応じて必要な再生光出力の増大の度合いが、再生速度の増加の度合いに比較して小さいことを見出した。すなわち、超解像媒体を、通常の再生速度で再生する場合に比べて、再生速度および再生光出力を共に増加させて再生することにより、超解像媒体の再生時の発熱による劣化を抑制することができる。すなわち、再生速度および再生光出力を共に増加させて再生することにより、超解像媒体の再生耐久性を向上することができる。
【００４０】
（試験結果）
以下に再生耐久性の実証試験について説明する。
【００４１】
図１は、実証試験に用いた光情報記録媒体１の断面図である。図１に示すように、光情報記録媒体１は、基板２上に、情報記録層（機能層）３、および透光層４が順に積層されて構成されている。光情報記録媒体１は、光学系解像限界より短いマークまたはスペースを含む超解像媒体である。
【００４２】
基板２はポリカーボネートにより形成されている。基板２の情報記録層３側の面（情報記録面）には、記録される情報に応じた形状の凹凸からなるプリピット群が形成されている。
【００４３】
情報記録層３は、基板２の情報記録面の凹凸に沿って形成された薄膜であり、超解像再生を可能にする機能層である。具体的には、情報記録層３は、厚さ５ｎｍのＴａ薄膜の層である。
【００４４】
透光層４は、厚さ１００μｍの紫外線硬化樹脂（再生光波長λ＝４０５ｎｍにおける屈折率１．５０）により形成されている。透光層４は、再生光の入射面を有し、情報記録層３および基板２の情報記録面を保護する。
【００４５】
図２は、光情報記録媒体１の基板２上のプリピットを示す平面図である。記録される情報は、１−７ＲＬＬ変調方式に従って、複数の長さ（Ｄ２Ｔ〜Ｄ８Ｔ）のマークおよびスペースとして光情報記録媒体１に記録される。ここでは光情報記録媒体１に形成されたプリピットはマークを表し、トラックに沿ったプリピット同士の間隔がスペースを表す。複数の長さを有するマークおよびスペースのうちの、最小マーク長さ（Ｄ２Ｔ）と最小スペース長さの平均が、光学系解像限界（１１９ｎｍ）より短い１１２ｎｍになるように設けられている。ここでは、最小マーク長さおよび最小スペース長さは共に同じＤ２Ｔである。なお、プリピットのトラックピッチＴｐＤは通常のＢＤ（Blu-ray disc：登録商標）−ＲＯＭと同じ０．３２μｍである。光情報記録媒体１では、通常のＢＤ−ＲＯＭ（φ１２０ｍｍディスクで２５ＧＢ）の最小マーク長（１４９ｎｍ）と比べて最小マーク長が短く、情報を密に記録することができるので、φ１２０ｍｍディスクで約３３．３ＧＢの情報を記録することができる。
【００４６】
図３は、光情報記録媒体１における信号特性を表すｉ−ＭＬＳＥの再生光出力依存性の測定結果を示すグラフである。ｉ−ＭＬＳＥ（Maximum Likelihood Sequence Estimation）は、高密度記録における信号再生特性の一般的な評価指標であり、小さいほど信号特性が良いことを示す。なお、光情報記録媒体１のｉ−ＭＬＳＥは、ＢＤ用評価機（パルステック製ＤＤＵ−１０００／再生光学系：再生光波長（λ）４０５ｎｍ、開口数（ＮＡ）０．８５）と、パルステック製ＢＤ評価用シグナルディティクター３を用いて、再生光の出力（再生光パワー）を変化させて（すなわち再生光の照射強度を変化させて）測定した。
【００４７】
本実証試験においては、再生速度（線速度）３．６９ｍ／ｓと、その倍の再生速度７．３８ｍ／ｓとにおいて、信号特性を測定した。これらの再生速度は、それぞれ通常の光情報記録媒体であるＢＤ−ＲＯＭ（最小マーク長１４９ｎｍ）の通常再生時（１倍再生）の再生クロック、および２倍再生時の再生クロック（クロック間隔が１／２、クロック周波数が２倍）に対応している。通常のＢＤ−ＲＯＭでは、最小マーク長が１４９ｎｍであり、再生速度は４．９２ｍ／ｓである。クロックが同じ場合、通常のＢＤ−ＲＯＭより光情報記録媒体１のプリピットの密度は高いので、光情報記録媒体１の１倍再生の再生速度は、３．６９（ｍ／ｓ）（＝４．９２（ｍ／ｓ）／１４９（ｎｍ）×１１２（ｎｍ））となる。同様に光情報記録媒体１の２倍再生の再生速度は、７．３８（ｍ／ｓ）（＝２×４．９２（ｍ／ｓ）／１４９（ｎｍ）×１１２（ｎｍ））となる。
【００４８】
図３から分かるように、いずれの再生速度においても、再生光の出力が増大すると、超解像特性が発現し、ｉ−ＭＬＳＥが低下していく（信号特性が良くなっていく）。再生媒体として実用可能なレベルといえるｉ−ＭＬＳＥが１４％となる再生光出力は、再生速度３．６９ｍ／ｓの場合、１．５ｍＷであった。また、再生速度７．３８ｍ／ｓの場合、ｉ−ＭＬＳＥが１４％となる再生光出力は、２．１ｍＷ（＝１．５（ｍＷ）×１．４）であった。これは、再生速度を２倍に増加した場合であっても、１倍再生と同程度の信号特性を得るために必要な再生光出力の増加は√２倍で済むということを示している。
【００４９】
なお、この結果は、書き換え可能な光情報記録媒体において一般的に“記録”速度を２倍にした場合に、記録光の出力は√２倍必要になるという結果とほぼ合致する。
【００５０】
次に、再生耐久性を評価するため、再生速度３．６９ｍ／ｓかつ再生光出力１．５ｍＷの場合と、再生速度７．３８ｍ／ｓかつ再生光出力２．１ｍＷの場合とにおいて、上記評価装置を用いて光情報記録媒体１のｉ−ＭＬＳＥの再生回数依存性を測定した。
【００５１】
図４は、光情報記録媒体１における信号特性を表すｉ−ＭＬＳＥの再生回数依存性の測定結果を示すグラフである。図４から分かるように、再生速度３．６９ｍ／ｓ（再生光出力１．５ｍＷ）では、再生媒体として実用可能なレベルといえるｉ−ＭＬＳＥの値（１４％）を保てる再生回数は、約５０００回であった。これに対して、再生速度７．３８ｍ／ｓ（再生光出力２．１ｍＷ）では、その倍の約１００００回再生まで、再生媒体として実用可能なレベルといえるｉ−ＭＬＳＥの値（１４％）を保てることが分かった。
【００５２】
この実証試験の結果より、再生速度を高めることによって、大容量化に必要な超解像特性と再生耐久性とを両立できることが分かる。
【００５３】
なお、上記結果は、超解像媒体の再生耐久性にとって、再生速度を高めることで必要となる超解像再生のための再生光出力の増加による影響より、所定の領域にレーザースポットが留まっている時間が短縮される影響の方が大きいことを意味する。よって、超解像再生時の再生速度を高めるほど再生による超解像媒体の劣化が抑制される、すなわち超解像媒体の耐久性が高まると言える。
【００５４】
［実施形態１］
以下、本発明の一実施形態について、詳細に説明する。
【００５５】
（光情報記録媒体の構成）
図５は、本実施形態の再生専用の光情報記録媒体１１の構成を示す断面図である。光情報記録媒体１１は、直径が１２０ｍｍの円盤形状のディスクである。光情報記録媒体１１において、情報が記録されている最内周の半径は２４ｍｍである。図５に示すように、光情報記録媒体１１は、基板１２、情報記録層（機能層）１３、および透光層１４を備える。基板１２上に、情報記録層１３および透光層１４がこの順に積層されている。光情報記録媒体１１は、最小マーク長と最小スペース長との平均長さが光学系解像限界より短い超解像媒体である。再生光は透光層１４側から入射する。
【００５６】
基板１２の情報記録層１３側の面（情報記録面）に、記録される情報に応じた形状の複数の凹および／または凸からなるプリピット群が形成されている。
【００５７】
情報記録層１３は、再生専用の情報記録層（ＲＯＭ層）である。情報記録層１３は、基板１２上のプリピットに沿って形成された特定の厚さの薄膜であり、超解像再生を可能にする機能層である。情報記録層１３は、下層である基板１２の凹凸（プリピット）を反映した形状を有している。情報記録層１３自体が、プリピットを形成して、形状として情報を記録していると言うこともできる。機能層は、例えば、Ｎｂ、Ｍｏ、Ｗ、Ｍｎ、Ｐｔ、Ｃ、Ｓｉ、Ｇｅ、Ｔｉ、Ｚｒ、Ｖ、Ｃｒ、Ｆｅ、Ｃｏ、Ｎｉ、Ｐｄ、Ｓｂ、Ｔａ、Ａｌ、Ｉｎ、Ｃｕ、Ｓｎ、Ｔｅ、ＺｎおよびＢｉ等から選択される少なくとも１種の元素を含む単体もしくは合金またはその化合物を用いて構成することができる。情報記録層１３の適切な厚さは、用いられる材料に応じて異なる。例えば、情報記録層１３は、スパッタ法によって厚さ５ｎｍのＴａの層として形成される。
【００５８】
情報記録層１３である機能層は、プリピット群により記録された情報を、再生装置の再生光学系により再生可能（読み取り可能）とする層である。すなわち、機能層は、最小のマークと最小のスペースとの平均長さが光学系解像限界未満であっても、該マークおよびスペースによる情報を再生光学系で再生（超解像再生）することを可能とする超解像膜である。なお、再生装置の走査方向において、最小のマークと最小のスペースとの平均長さがλ／（４×ＮＡ）より短いとは、その再生光学系の光学系解像限界未満であることを意味する。光学系解像限界を単に解像限界と称する場合がある。
【００５９】
情報記録層１３である機能層は、例えば特許文献１に記載の超解像再生技術によって、光学系解像限界未満のプリピットを含むプリピット群を再生可能にする層である。または、情報記録層１３である機能層は、例えば入射した再生光の温度分布により擬似的に再生光のスポット径を縮小して、光学系解像限界未満のプリピットを含むプリピット群を再生可能にするマスク層である。
【００６０】
なお、情報記録層１３は、プリピットの深さ（高さ）に対して厚い層であってもよい。例えば、図８に示すように、基板１２上に形成される情報記録層１３が厚い場合、基板１２の凹凸の上に積層した情報記録層１３は、下面に基板１２のプリピット２４に対応した凹凸を有し、その上面は平坦になりうる。図８において、基板１２の上面、すなわち情報記録層１３の下面には、プリピット２４で表されるマーク２５と、マーク同士の間隔で表されるスペース２６が形成されている。
【００６１】
なお、情報記録層（機能層）１３の材料、厚さおよび層の数は、これに限られるものではなく、情報記録層１３が超解像再生を可能にする層として機能し、基板１２に形成されたマーク（およびスペース）を再生可能とする超解像膜であればよい。ただし、情報を追記録できるいわゆるＲ媒体、または情報の書き換えが可能ないわゆるＲＥ媒体のように、情報記録層１３が４層以上の薄膜を積層してなる機能層を有する場合、再生耐久性は高めやすい反面、コストが増大するという問題がある。そのため、情報記録層１３は、単層または２〜３層程度の層で構成されることが望ましい。
【００６２】
透光層１４は、情報記録層１３等の内側の層を保護する層であり、再生光を透過する。透光層１４は、再生光の入射面を有し、情報記録層１３および基板１２の情報記録面を保護する。透光層１４は、光情報記録媒体１１を構成する各層のうち、最も再生光の入射側に配置される。透光層１４の情報記録層１３と接している側とは反対側の面が、再生光の入射面となる。透光層１４は、例えば厚さ１００μｍの紫外線硬化樹脂により形成される。この紫外線硬化樹脂は、再生光波長λ＝４０５ｎｍにおける屈折率が１．５０である。透光層１４の材料は、再生光の波長において透過率が高いものであれば良い。透光層１４は、例えばポリカーボネートフィルムと透明粘着剤とで形成されていても良い。
【００６３】
また、透光層１４の表面は、再生に悪影響を及ぼさないような防汚特性または耐擦傷特性を有していてもよい。防汚特性とは、指紋等が付着した場合においても情報記録層１３からの再生信号等が劣化しない特性のことである。なお、上記防汚特性と耐擦傷特性とを透光層１４に与えるために、透光層１４の表面にハードコートを設けてもよい。
【００６４】
また、透光層１４の厚さは、光情報記録媒体１１の再生装置が有する光学系（再生光学系）に応じて変更されてもよい。具体的には、透光層１４は、例えば０．６ｍｍのポリカーボネート層であってもよい。
【００６５】
光情報記録媒体１１は、再生光によって情報を読み出すことのみ可能な再生専用（ＲＯＭ；Read Only Memory）の記録媒体である。
【００６６】
（光情報記録媒体が有する情報）
図６は、光情報記録媒体１１の構成を示す概略図である。光情報記録媒体１１は、内周側に設けられたディスク情報領域（第２領域）２１と、その外周側に設けられたデータ領域（第１領域）２２とを有する。ディスク情報領域２１は、所定の半径Ｒ１の円周から所定の半径Ｒ２の円周までの領域であり（Ｒ１＜Ｒ２）、データ領域２２は、所定の半径Ｒ２の円周から所定の半径Ｒ３の円周までの領域である（Ｒ２＜Ｒ３）。各領域には、基板１２および情報記録層１３のプリピットにより表されるマークおよびスペースによって、所定の変調方式で情報が記録されている。なお、ディスク情報領域２１は、データ領域２２より外周側に設けられていてもよい。
【００６７】
図７は、光情報記録媒体１１のディスク情報領域２１およびデータ領域２２のプリピットを示す平面図である。図７には図６に示す領域Ａを拡大して示す。記録される情報は、１−７ＲＬＬ変調方式に従って、複数の長さのマークおよびスペースとして光情報記録媒体１１に記録される。プリピットは、マークを表し、走査方向に沿ったプリピット同士の間隔がスペースを表す。
【００６８】
ディスク情報領域２１には、再生装置の走査方向における長さがλ／（４×ＮＡ）より長いプリピットのみで構成されたプリピット群２３によって情報が記録されている。ここで、λは再生光の波長であり、ＮＡは対応する再生装置の光学系における対物レンズの開口数である。また、λ／（４×ＮＡ）は、光学系解像限界である。すなわち、ディスク情報領域２１は、光学系解像限界より長いプリピットのみを含む領域である。プリピット群２３は、１−７ＲＬＬ変調方式に従って、Ｒ２Ｔ〜Ｒ８Ｔの長さのマークおよびスペースを表す。
【００６９】
データ領域２２には、再生装置の走査方向における長さがλ／（４×ＮＡ）より短いプリピットを含むプリピット群２４によって情報が記録されている。すなわち、データ領域２２は、光学系解像限界より短いプリピットを含む超解像領域である。プリピット群２４は、１−７ＲＬＬ変調方式に従って、Ｄ２Ｔ〜Ｄ８Ｔの長さのマークおよびスペースを表す。ここで、最小マーク長であるＤ２Ｔは、光学系解像限界λ／（４×ＮＡ）より短い。
【００７０】
なお、最小マーク長と最小スペース長との平均長さが光学系解像限界より小さい場合には、超解像再生が必要になる。そのため、データ領域は、最小マーク長と最小スペース長との平均長さが光学系解像限界より小さい領域であってもよく、最小マーク長（最小プリピット長）が光学系解像限界より大きくてもよい。
【００７１】
データ領域２２には、ユーザが利用するコンテンツ（例えば映像等）が記録されている。
【００７２】
ディスク情報領域２１には、再生装置が活用可能な情報として、光情報記録媒体１１の再生条件を示す情報が記録されている。再生条件を示す情報とは、光情報記録媒体１１の種類（ＢＤまたはＤＶＤ等）を特定するための情報、光情報記録媒体１１の製造者が推奨する再生光出力の情報、および、データ領域２２を超解像再生するための再生速度の情報を含む。
【００７３】
光情報記録媒体１１のディスク情報領域２１には、データ領域２２を再生するための再生速度（線速度）として、下限：２×（４．９２×Ｔｍ／１４９）［ｍ／ｓ］以上、上限：（１００００／６０）×２×π×（２４／１０００）［ｍ／ｓ］未満の範囲で再生速度を指定する情報が記録されている。ここで、Ｔｍは、最小マーク長と最小スペース長との平均長さ（ここではＤ２Ｔ）である。例えば、光情報記録媒体１１のディスク情報領域２１には、再生速度の範囲を指定するために、上限となる再生速度と下限となる再生速度との２つの再生速度の情報が記録されていてもよい。または、光情報記録媒体１１のディスク情報領域２１には、超解像再生時の再生速度を指定するために、上記指定範囲の中の好ましい１つまたは複数の再生速度の情報が記録されていてもよい。
【００７４】
通常の１倍速再生の再生クロックを用いて超解像再生を行う場合の再生速度は４．９２×Ｔｍ／１４９［ｍ／ｓ］であるので、上記指定範囲の下限は、データ領域２２の情報の読み取りを２倍速以上（再生クロックの周波数は２倍以上）で行うことを示している。
【００７５】
また、情報が記録されている最内周の半径が２４ｍｍの場合（通常のＢＤの場合）、上記指定範囲の上限は、再生時における光情報記録媒体１１の最大の回転速度（最内周読み取り時の回転速度）が１００００ｒｐｍ未満に収まることを示している。一般に知られている通常のポリカーボネート基板のディスクの回転速度の限界は、ポリカーボネートの強度の限界から、１００００ｒｐｍとされている。そのため、上記指定範囲の再生速度であれば、通常のポリカーボネート基板を用いる光情報記録媒体１１を遠心力によって破壊することなく、再生を行うことができる。
【００７６】
通常再生可能なディスク情報領域２１を１倍速の再生クロックを用いて再生（再生速度は４．９２［ｍ／ｓ］）し、超解像再生が必要なデータ領域２２を指定範囲の再生速度で再生する場合、再生クロックは同じではない。ただし、超解像再生の再生クロックの周波数は、通常再生時の再生クロックの周波数に対して整数倍であることが好ましい。なぜなら、整数倍である記録用のクロックと同じにすることで、クロック生成回路を共用することができ、コストを抑えることができるからである。
【００７７】
なお、マークおよびスペースの長さが短くなることにより、マークおよびスペースの線密度（情報の記録密度）が大きくなった場合、再生速度が同じなら再生クロックの周波数を大きくする必要がある。しかしながら、基本（１倍速）の再生クロックとは異なる周波数の再生クロックを別途生成するためには専用のクロック生成回路の追加が必要になり、自由にクロックの周波数を調整することはできない。そのため、基本の再生クロックに合わせて再生速度（線速度）を遅くする（ディスクの回転速度を変更する）ことで超解像再生が行われていた。そのため、従来は、特に超解像再生時に、再生速度および再生クロックの周波数を積極的に大きくすることは考えられてこなかった。
【００７８】
再生装置は、光情報記録媒体１１のディスク情報領域２１を読み取って再生速度の指定範囲を認識し、指定範囲の再生速度で光情報記録媒体１１のデータ領域２２の情報を超解像再生することができる。上述したように、指定範囲の再生速度のように再生速度を大きくすると、超解像特性を保持したまま再生光の熱によるディスクの劣化を抑制することができる。それゆえ、光情報記録媒体１１は、再生における高い耐久性と、高い信頼性を有する。
【００７９】
また、光情報記録媒体１１のディスク情報領域２１に、各再生速度（または再生速度の各範囲）に対応した再生光出力を示す情報が記録されていてもよい。なお、再生光出力とは、光情報記録媒体上に照射される再生光の単位時間当たりのエネルギーを示す。対応する再生光出力として、再生光出力の範囲が指定されていてもよい。再生装置は、ディスク情報領域２１から指定の再生速度と対応する再生光出力とを読み取り、過大な再生光を光情報記録媒体１１に照射することなく、適切な出力の再生光によってデータ領域２２の超解像再生を行うことができる。光情報記録媒体１１のディスク情報領域２１に記録されている再生速度は、通常の１倍速の再生クロックより周波数が大きいＮ倍速（Ｎ≧２）の再生クロックに対応した再生速度である。しかしながら、１倍速の再生光出力をＰ１とすると、Ｎ倍速の再生クロックに対応した再生速度での適切な超解像再生に必要となる再生光出力Ｐｎは、Ｐ１×Ｎより小さく、ほぼＰ１×√Ｎになる。そのため、光情報記録媒体１１上の単位時間当たりの、再生光の受光量を減少させ、再生による光情報記録媒体１１の劣化を抑制することができる。なお、機能層の材質および厚さ等により、光情報記録媒体の再生に必要な再生光出力は変化する。そのため、光情報記録媒体に記録された再生速度に応じた、該光情報記録媒体の再生光出力を光情報記録媒体に記録しておくことが有用である。
【００８０】
なお、再生速度の情報は、ディスク情報領域２１に限らず、他の箇所に記録されていてもよい。例えば、光情報記録媒体１１のＢＣＡ領域（Burst Cutting Area）に記録されていてもよい。また、例えば、光情報記録媒体１１に記録される媒体識別情報が再生速度の情報を兼ねてもよい。言い換えれば、例えば超解像再生を必要とする光情報記録媒体１１に記録される媒体識別情報は、光情報記録媒体１１に対応した、下限：２×（４．９２×Ｔｍ／１４９）［ｍ／ｓ］以上、上限：（１００００／６０）×２×π×（２４／１０００）［ｍ／ｓ］未満の範囲の再生速度を指定している。
【００８１】
なお、ディスク情報領域は、データ領域よりも内周側に形成されている方が好ましい。なぜなら、光情報記録媒体のアドレスが取得できていない再生初期においては、ピックアップの半径方向の位置決め誤差のために、再生装置は、ピックアップが読んでいるトラックの位置が正確には分からない。このような再生初期において、容易に再生に必要なディスク情報（再生速度、および再生光出力等）を取得するためには、ピックアップの半径方向の位置決め誤差に対応するために、数周に渡る各トラックに同じ情報（再生速度、および再生光出力等）を記録していればよい。しかしながら、その記録位置が外周側になると、記録容量が嵩み、結果としてコンテンツのための記録容量が減少する。
【００８２】
（プリピット群の構成について）
図８は、光情報記録媒体の基板１２に設けられているプリピットの構成を示す斜視図である。図８では、情報記録層１３および透光層１４を透過して示す。
【００８３】
ここでは複数のプリピットを指してプリピット群と称する。ここでは、基板１２に凹状の複数のプリピットが形成されている。基板１２上における、プリピットが形成されている部分がマーク２５に対応し、走査方向におけるプリピット同士の間の部分（反射面）がスペース２６に対応する。
【００８４】
プリピット群により構成されるマーク２５としては、走査方向における長さが異なる複数の種類のマークがある。このように、長さの異なる複数のマーク２５を組み合わせることにより、単一の長さのマークで構成されたいわゆるモノトーンパターン記録方式よりも、情報を記録する密度を向上させることができる。
【００８５】
このように、長さの異なる複数のマーク２５を用いて、例えば、１−７ＲＬＬ変調方式に従って、マークエッジ記録方式により情報が記録される。マークエッジ記録方式により記録された情報は、マーク２５のエッジ部分（隣接するスペース２６との境界部分）を読み取ることにより、情報（「１」（正）または「０」（負））が読み取られる。
【００８６】
このように、マークエッジ記録方式を用いることで、モノトーンパターン記録方式に用いられるマークポジション記録方式より、記録できる情報の容量を向上させることができる。
【００８７】
データ領域２２においては、複数種類のマーク２５のうち走査方向における長さが最小となる最小マークと、複数種類のスペース２６のうち走査方向における長さが最小となる最小スペースとの、走査方向における平均長さが、再生光学系の光学系解像限界未満となるようにプリピット群が形成されている。
【００８８】
このため、光情報記録媒体１１は、超解像再生ではない通常の再生が可能なプリピット群によって情報が記録された記録媒体よりも、マーク２５およびスペース２６の密度を向上させることができる。したがって、光情報記録媒体１１は、ユーザが利用するコンテンツを記録するための容量を大きくすることができる。
【００８９】
ここで、最小マークと最小スペースとの平均長さは、変調方式と、データ領域２２に記録されている情報の密度とから算出することができる。例えば１−７ＲＬＬ変調方式の場合、最小マークと最小スペースとの平均長さは、構造的には、最小マークである２Ｔマーク長と、最小スペースである２Ｔスペース長との平均長さである。
【００９０】
具体的には、再生光学系がＢＤに準じている場合は、非超解像媒体である通常のＢＤ−ＲＯＭ（記録容量２５ＧＢ、ディスク径１２０ｍｍ）では、１−７ＲＬＬ変調方式での２Ｔマーク長と２Ｔスペース長との平均長さは、１４９ｎｍである。上述した超解像再生のための光情報記録媒体１（記録容量３３．３ＧＢ、ディスク径１２０ｍｍ）では、１−７ＲＬＬ変調方式での２Ｔマーク長と２Ｔスペース長との平均長さＴｍは、１１２ｎｍ（＝１４９×２５／３３．３）となる。
【００９１】
なお、光情報記録媒体は、２つ以上の情報記録層を有する２層（または多層）の光情報記録媒体として構成することもできる。この場合、少なくともいずれかの情報記録層に超解像再生用のプリピット群が形成された領域を有する。また、複数の情報記録層の間には、それらを隔てるための中間層が設けられ、中間層の一方の情報記録層側の面（上面）にはプリピットが形成される。
【００９２】
（実施の形態２）
本発明の他の実施形態について、以下に説明する。なお、説明の便宜上、実施形態１にて説明した図面と同じ機能を有する部材・構成については、同じ符号を付記し、その詳細な説明を省略する。本実施形態では、実施形態１の光情報記録媒体に対応した再生装置について説明する。
【００９３】
（再生装置の構成）
図９は、本実施形態の再生装置３０の概略構成を示すブロック図である。再生装置（光情報記録媒体再生装置）３０は、光情報記録媒体１１に対して情報の記録および再生を行う。再生装置３０は、スピンドル３１、ピックアップ部３２、制御部（再生部）３８を備える。制御部３８は、ピックアップ制御部３３、出力制御部３４、再生制御部３５、クロック生成部３６、およびデータ再生部３７を備える。
【００９４】
スピンドル３１は、再生装置３０に装填された光情報記録媒体１１を、再生制御部３５に指示された回転数（回転速度）で回転させる。
【００９５】
ピックアップ部３２は、再生光用のレーザ光源、対物レンズを含む集光光学系、および受光素子等を備える（図示せず）。対物レンズの開口数は０．８５であり、再生光の波長は４０５ｎｍである。ピックアップ部３２は、再生装置３０に装填された光情報記録媒体１１に再生光を照射し、反射光を受光素子で受光し、反射光の強度を示す電気信号を得る。ピックアップ部３２は、反射光の強度を示す電気信号をデータ再生部３７に出力する。
【００９６】
ピックアップ制御部３３は、ピックアップ部３２の位置を制御し、ピックアップ部３２を光情報記録媒体１１のトラックに対応した位置に移動させる。
【００９７】
出力制御部３４は、所望の強度の再生光が光情報記録媒体１１上に照射されるよう、ピックアップ部３２のレーザ光源のレーザ出力を制御する。
【００９８】
再生制御部３５は、光情報記録媒体１１上の再生する位置（トラック）を決定する。再生制御部３５は、再生するトラックがディスク情報領域であるかデータ領域であるかと、再生するトラックの半径とに基づいて、再生速度（線速度）を決定する。再生制御部３５は、決定された再生速度に応じてスピンドル３１を回転させる。また、再生制御部３５は、再生するトラックの半径の情報をピックアップ制御部３３に出力する。
【００９９】
クロック生成部３６は、再生クロックを生成し、データ再生部３７に出力する。
【０１００】
データ再生部３７は、反射光の強度を示す波形の電気信号と再生クロックとを用いて、光情報記録媒体１１から読み取った情報を再生する。
【０１０１】
（再生処理フロー）
図１０は、再生装置３０の再生処理のフローを示す図である。
【０１０２】
光情報記録媒体１１が再生装置３０に装填されると、まず、再生装置３０は、光情報記録媒体１１のディスク情報領域の情報を、所定の第１再生速度（４．９２［ｍ／ｓ］）で再生する。
【０１０３】
具体的には、再生制御部３５は、ディスク情報領域のトラックを再生するようピックアップ制御部３３に指示する。また、再生制御部３５は、再生するトラックが非超解像再生の領域であることを、出力制御部３４およびクロック生成部３６に伝える。また、再生制御部３５は、再生速度を第１再生速度と決定し、決定された再生速度に応じてスピンドル３１を回転させる（Ｓ１）。
【０１０４】
ピックアップ制御部３３は、ピックアップ部３２を制御し、指示されたディスク情報領域のトラックの位置にピックアップ部３２を移動させる（Ｓ２）。
【０１０５】
クロック生成部３６は、非超解像再生のための第１再生クロック（１倍速の再生クロック）を生成し、データ再生部３７に出力する（Ｓ３）。
【０１０６】
出力制御部３４は、再生光の出力を非超解像再生のための第１出力にする（Ｓ４）。
【０１０７】
データ再生部３７が、反射光の強度を示す電気信号と第１再生クロックとを用いて、ディスク情報領域に記録されている情報を再生し、ディスク情報領域に記録されている再生速度情報を取得する（Ｓ５）。データ再生部３７は、再生速度情報を再生制御部３５に出力する。ここでは、再生速度情報は、再生速度の下限として２×（４．９２×Ｔｍ／１４９）［ｍ／ｓ］（以上）を示し、再生速度の上限として（１００００／６０）×２×π×（２４／１０００）［ｍ／ｓ］（未満）を示す。また、データ再生部３７は、ディスク情報領域に記録されている再生光出力の情報を取得する。データ再生部３７は、再生光出力の情報を出力制御部３４に出力する。再生光出力の情報は、光情報記録媒体１１の製造者が推奨する再生光出力を示す。
【０１０８】
再生装置３０は、再生速度情報が示す上記範囲内である第２再生速度で、光情報記録媒体１１のデータ領域（超解像領域）の情報を再生する。
【０１０９】
具体的には、再生制御部３５は、データ領域のトラックを再生するようピックアップ制御部３３に指示する。また、再生制御部３５は、再生するトラックが超解像再生の領域であることを、出力制御部３４およびクロック生成部３６に伝える。また、再生制御部３５は、光情報記録媒体１１から読み取られた再生速度情報に基づいて、再生速度情報が指定する範囲内で再生速度を第２再生速度（例えば２×（４．９２×Ｔｍ／１４９）［ｍ／ｓ］）と決定し、決定された再生速度に応じてスピンドル３１を回転させる（Ｓ６）。再生制御部３５は、決定された再生速度を示す情報をクロック生成部３６に出力する。
【０１１０】
ピックアップ制御部３３は、ピックアップ部３２を制御し、指示されたデータ領域のトラックの位置にピックアップ部３２を移動させる（Ｓ７）。
【０１１１】
クロック生成部３６は、第２再生速度に応じて、超解像再生のための第２再生クロック（例えば２倍速の再生クロック）を生成する（Ｓ８）。クロック生成部３６は、データ再生部３７に出力する。
【０１１２】
出力制御部３４は、再生光出力の情報に基づき、再生光の出力を超解像再生のための第２出力にする（Ｓ９）。第２出力は第１出力よりも大きい。
【０１１３】
データ再生部３７が、反射光の強度を示す電気信号と第２再生クロックとを用いて、データ領域に記録されているコンテンツを再生する（Ｓ１０）。
【０１１４】
このように、再生装置３０は、ディスク情報領域に記録されている光情報記録媒体１１に適した範囲の再生速度で、かつ、その再生速度に適した再生光出力で、データ領域の超解像再生を行うことができる。具体的には、再生装置３０は、２倍速再生クロックに対応する再生速度（２×（４．９２×Ｔｍ／１４９）［ｍ／ｓ］）以上の再生速度で超解像再生を行う。そのため、再生装置３０では、１倍速再生クロックに対応する再生速度で超解像再生する場合よりも、再生時に単位面積当たりに照射される再生光のエネルギーを小さくすることができる。それゆえ、光情報記録媒体１１の再生による劣化を抑制することができる。また、再生装置３０は、光情報記録媒体１１の回転速度が１００００ｒｐｍ未満となる再生速度で超解像再生を行う。それゆえ、回転の遠心力による光情報記録媒体１１の破壊を防ぐことができる。よって、再生装置３０は、再生の信頼性を高めることができる。
【０１１５】
（変形例）
なお、光情報記録媒体のディスク情報領域に、超解像再生のための複数の再生速度の情報と、各再生速度に対応する複数の再生光出力の情報とが記録されている場合、再生装置は、スピンドル等の駆動部の性能、およびレーザ光源の性能（照射可能な再生光出力の上限）に基づいて、最も信頼性の高い再生速度および再生光出力を決定する構成であってもよい。これにより、再生装置は、最も信頼性の高い再生速度および再生光出力で、データ領域の超解像再生を行うことができる。
【０１１６】
なお、光情報記録媒体は、ディスク情報領域に、各再生速度に対応する再生クロックの情報を記録する構成とすることもできる。この場合、再生装置は、ディスク情報領域から読み取った再生速度および再生クロックに基づいて、データ領域の超解像再生を行うことができる。
【０１１７】
なお、超解像再生時において、出力制御部３４は、再生光出力を増加するように変化させ、信号のＣ／Ｎ比（carrier to noise ratio）が閾値を上回る再生光出力を、超解像再生用の再生光出力として決定してもよい。この場合、光情報記録媒体に再生光出力の情報が記録されていなくてもよい。
【０１１８】
出力制御部は、再生光出力の情報によらず、１倍速クロックに対応した第１再生速度（４．９２×Ｔｍ／１４９）［ｍ／ｓ］に対応する再生光出力を第１再生光出力とすると、データ領域のコンテンツの再生時において、上記第１再生速度に対する再生速度の増加比より、上記第１再生光出力に対する再生光出力の増加比が小さくなるように、再生光出力を決定する構成であってもよい。
【０１１９】
また、再生装置は、最初に通常の非超解像再生用の、再生速度、再生クロック、および再生光出力で光情報記録媒体の再生を試みてもよい。そして、再生装置は、非超解像再生では情報を再生できない場合に、超解像再生用の、再生速度、再生クロック、および再生光出力で光情報記録媒体の超解像再生を行う構成であってもよい。超解像再生用の再生速度とは、２×（４．９２×Ｔｍ／１４９）［ｍ／ｓ］以上、（１００００／６０）×２×π×（２４／１０００）［ｍ／ｓ］未満の再生速度である。この再生装置によれば、非超解像再生用のディスク情報領域を有さず超解像再生用のデータ領域のみを有する光情報記録媒体を再生する場合でも、適切な再生速度で光情報記録媒体の超解像再生を行うことができる。なお、非超解像再生および超解像再生の切り替え（再生速度の切り替え）は、ユーザが手動で指定してもよいし、どのようなタイミングまたは手段によって切り替えてもよい。
【０１２０】
また、ディスク情報領域において、光学系解像限界未満のプリピットを含むプリピット群によって再生速度情報が記録されていてもよい。ディスク情報領域は再生初期に読み取られるだけの領域であるので、コンテンツが記録されるデータ領域より再生回数は少なくなる。それゆえ、再生装置が、１倍速再生クロックに対応する再生速度でディスク情報領域の情報を超解像再生で読み取ったとしても、再生光の積算照射量はデータ領域に比較して少なく、再生時の劣化は少ない。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２２】
本発明は、特に、情報の記録密度が高い再生専用の光情報記録媒体に適用することができる。
【符号の説明】
【０１２３】
１、１１    光情報記録媒体
２、１２    基板
３、１３    情報記録層（機能層）
４、１４    透光層
２１    ディスク情報領域（第２領域）
２２    データ領域（第１領域）
２３、２４    プリピット
２５    マーク
２６    スペース
３０    再生装置（光情報記録媒体再生装置）
３１    スピンドル
３２    ピックアップ部
３３    ピックアップ制御部
３４    出力制御部
３５    再生制御部
３６    クロック生成部
３７    データ再生部
３８    制御部（再生部）
【図１】
2013122806.tif 000003
【図２】
2013122806.tif 000004
【図３】
2013122806.tif 000005
【図４】
2013122806.tif 000006
【図５】
2013122806.tif 000007
【図６】
2013122806.tif 000008
【図７】
2013122806.tif 000009
【図８】
2013122806.tif 000010
【図９】
2013122806.tif 000011
【図１０】
2013122806.tif 000012